(57)【要約】【課題】既存のデータファイルを再生不能とすることなく、新たなデータファイルを記憶するための空き容量を確保できるコンテンツ処理装置を提供する。【解決手段】データ部と当該データ部に付属する情報から成るヘッダ部とを含むデータファイルを記憶する記憶部と、前記データファイルを制御する制御部と、を備え、記憶部に新たなデータファイルを記憶させる際、記憶部に当該データファイルを記憶可能な空き容量があるか否かを判断し、記憶部に記憶可能な空き容量がなかった場合は、記憶部に記憶されていたデータファイルのヘッダ部を削除した後に、新たなデータファイルを記憶部に記憶させることにより、データ部を残しつつ、記憶部５の空き容量を大きくすることができる。【選択図】図３
2009266069.tif 000002
【特許請求の範囲】
【請求項１】
データ部と当該データ部に付属する情報から成るヘッダ部とを含むデータファイルを記憶する記憶部と、
前記データファイルを制御する制御部と、を備え、
前記制御部は、前記記憶部に新たな前記データファイルを記憶させる際、前記記憶部に当該データファイルを記憶可能な空き容量があるか否かを判断し、
前記記憶部に記憶可能な空き容量がなかった場合は、前記記憶部に記憶されていた前記データファイルのヘッダ部を削除した後に、前記新たなデータファイルを前記記憶部に記憶させることを特徴とするコンテンツ処理装置。 
【請求項２】
前記制御部は、
前記ヘッダ部に記憶されているサイズ情報に基づいて前記データ部と前記ヘッダ部を区別することを特徴とする請求項１に記載のコンテンツ処理装置。 
【請求項３】
前記ヘッダ部が削除されるデータファイルは、
予め設定された優先順位に基づいて選択されることを特徴とする請求項１又は２に記載のコンテンツ処理装置。 
【請求項４】
前記制御部は、
前記ヘッダ部の一部のみを削除することを特徴とする請求項１から３のいずれか一項に記載のコンテンツ処理装置。
【請求項５】
前記データファイルは、オーディオファイルであり、
前記データ部は、オーディオデータであり、
前記ヘッダ部は、タグ情報であることを特徴とする請求項１から４に記載のコンテンツ処理装置。 
【請求項６】
データ部と当該データ部に付属する情報から成るヘッダ部とを含むデータファイルを記憶する記憶部を備える装置におけるデータ削除方法であって、
前記記憶部に新たな前記データファイルを記憶させる際、前記記憶部に当該データファイルを記憶可能な空き容量があるか否かを判断し、
前記記憶部に記憶可能な空き容量がなかった場合は、前記記憶部に記憶されていた前記データファイルのヘッダ部を削除した後に、前記新たなデータファイルを前記記憶部に記憶させることを特徴とするデータ削除方法。 
【請求項７】
データ部と当該データ部に付属する情報から成るヘッダ部とを含むデータファイルを記憶する記憶部を備える装置において、
コンピュータに、
前記記憶部に新たな前記データファイルを記憶させる際、前記記憶部に当該データファイルを記憶可能な空き容量があるか否かを判断する機能と、
前記記憶部に記憶可能な空き容量がなかった場合は、前記記憶部に記憶されていた前記データファイルのヘッダ部を削除した後に、前記新たなデータファイルを前記記憶部に記憶させる機能と、を実現させるためのプログラム。
【発明の詳細な説明】
【技術分野】
【０００１】
本発明は、付属情報を持つデータファイルをヘッダ部とデータ部に分割し、ヘッダ部のみを削除することが可能なコンテンツ処理装置、プログラム及びデータ削除方法に関する。
【背景技術】
【０００２】
現在、一般に使用されているデータファイルフォーマットには、例えば、ＭＰ３（MPEG Audio Layer-3）のような、データ本体及びデータに関する付属情報を持つフォーマットが存在する。ＭＰ３形式のオーディオファイル（以下ＭＰ３ファイル）には、ＩＤ３タグと呼ばれるタグ情報を先頭又は末尾に付加させることができるので、アルバム名やアーティスト名、その他付属情報を記憶しておくことができる。
ＭＰ３ファイルをＨＤＤ（Hard Disk Drive）等で構成される記憶部に記憶するとき、データ本体と付属情報とは、同一の記憶部内に連続して配置される。
【０００３】
図８は、ＭＰ３ファイルの構成、及び当該ＭＰ３ファイルが記憶部に格納されている様子について示した説明図である。
図８に示すように、ＭＰ３ファイルは、ファイルの先頭部に配置される付属情報（ヘッダ部）と、ヘッダ部の後ろに配置されるデータ本体（データ部）と、から構成される。
ＭＰ３ファイルでは、ＩＤ３ｖ２タグ（ＩＤ３タグのバージョン２）がヘッダ部となる。当該ＩＤ３ｖ２タグは、識別文字“ＩＤ３”、バージョン、フラグ、サイズ情報といったタグの基本情報を格納するＩＤ３ｖ２ヘッダと、タイトル名、アルバム名、アーティスト名、歌詞等の楽曲情報等を個別に格納する各フレームと、から構成される。つまり、ヘッダ部は、ユーザにとって有用な情報、例えば、データ形式を特定する情報や、楽曲を特定する情報、その他楽曲に関連する付帯情報等を記憶している。
データ部は、ＭＰ３に従って圧縮符号化されたオーディオデータで構成される。
記憶部は、例えば、ＨＤＤで構成されており、ＭＰ３ファイルを順次格納する。この場合、ＭＰ３ファイルのヘッダ部とデータ部は一つのＭＰ３ファイルとして格納される。
【０００４】
オーディオ装置等のコンテンツ処理装置は、上記のようにＭＰ３ファイル等が格納された記憶部を備え、当該ＭＰ３ファイルを再生する。
このコンテンツ処理装置の記憶部には、例えば外部記憶媒体からＭＰ３ファイルが転送される。このときに記憶部の空き容量が不足していると、新たにＭＰ３ファイルを転送することができない。
上記課題を解決するには、記憶部に格納されているＭＰ３ファイルを削除して、記憶部の空き容量を大きくする必要がある。従来のコンテンツ処理装置では、記憶部に格納されているＭＰ３ファイルのうち、ある一つのＭＰ３ファイルを削除しようとすると、当該ＭＰ３ファイルを構成するデータ本体（データ部）及び付属情報（ヘッダ部）は一つのＭＰ３ファイルとして同時に削除される。
以下、外部記憶媒体（記憶装置）に記憶されているＭＰ３ファイルがオーディオ装置の記憶部に転送される様子、及びＭＰ３ファイルがオーディオ装置の記憶部から削除される様子について図９を用いて説明する。
【０００５】
図９は、記憶装置の記憶部２１１からオーディオ装置の記憶部２０５にＭＰ３ファイルが転送される様子、及びオーディオ装置の記憶部２０５からＭＰ３ファイルが削除される様子について示した説明図である。
図９（ａ）に示すように、記憶装置の記憶部２１１内には、ＭＰ３ファイル１、２、３、４、５、６、・・が格納されている。ＭＰ３ファイルはそれぞれヘッダ部とデータ部とから構成される。また、オーディオ装置の記憶部２０５には、ＭＰ３ファイル１〜５が格納されている。ここで、記憶装置の記憶部２１１から新たにＭＰ３ファイル６を転送しようとすると、記憶部２０５の空き容量が不足しているので、当該ＭＰ３ファイル６を転送することができない。
そこで、図９（ｂ）に示すように、記憶部２０５に格納されていたＭＰ３ファイル１、２を削除することで、記憶部２０５の空き容量を大きくする。この場合、ＭＰ３ファイルを構成するデータ部及びヘッダ部は一つのＭＰ３ファイルとして同時に削除される。
すると、図９（ｃ）に示すように、記憶部２０５にはＭＰ３ファイル６を格納するのに十分な空き容量が確保され、当該ＭＰ３ファイル６を転送することが可能となる。
【０００６】
上記従来の技術（図９）のように、先に記憶されているＭＰ３ファイルを削除することで、装置の記憶部の空き容量を確保する技術を用いた例として、例えば、特許文献１に記載の技術が挙げられる。
【特許文献１】特開２００４−２２７２８５号公報
【発明の開示】
【発明が解決しようとする課題】
【０００７】
しかしながら、上記従来の技術では、ＭＰ３ファイルのデータ部とヘッダ部を一つのＭＰ３ファイル（データファイル）として扱っており、装置の記憶部からＭＰ３ファイルを削除する際、データ部とヘッダ部が同時に削除されてしまう。そのため、削除されたＭＰ３ファイルは二度と再生することができず、ユーザにとって不便であった。
【０００８】
本発明は、既存のデータファイルを再生不能とすることなく、新たなデータファイルを記憶するための空き容量を確保できるコンテンツ処理装置を提供することを目的とする。
【課題を解決するための手段】
【０００９】
請求項１に記載の発明は、上記目的を達成するためになされたものであり、コンテンツ処理装置において、データ部と当該データ部に付属する情報から成るヘッダ部とを含むデータファイルを記憶する記憶部と、前記データファイルを制御する制御部と、を備え、前記制御部は、前記記憶部に新たな前記データファイルを記憶させる際、前記記憶部に当該データファイルを記憶可能な空き容量があるか否かを判断し、前記記憶部に記憶可能な空き容量がなかった場合は、前記記憶部に記憶されていた前記データファイルのヘッダ部を削除した後に、前記新たなデータファイルを前記記憶部に記憶させることを特徴とする。
【００１０】
請求項２に記載の発明は、請求項１に記載のコンテンツ処理装置において、前記制御部は、前記ヘッダ部に記憶されているサイズ情報に基づいて前記データ部と前記ヘッダ部を区別することを特徴とする。
【００１１】
請求項３に記載の発明は、請求項１又は２に記載のコンテンツ処理装置において、前記ヘッダ部が削除されるデータファイルは、予め設定された優先順位に基づいて選択されることを特徴とする。
【００１２】
請求項４に記載の発明は、請求項１から３のいずれか一項に記載のコンテンツ処理装置において、前記制御部は、前記ヘッダ部の一部のみを削除することを特徴とする。
【００１３】
請求項５に記載の発明は、請求項１から４に記載のコンテンツ処理装置において、前記データファイルは、オーディオファイルであり、前記データ部は、オーディオデータであり、前記ヘッダ部は、タグ情報であることを特徴とする。
【００１４】
請求項６に記載の発明は、データ部と当該データ部に付属する情報から成るヘッダ部とを含むデータファイルを記憶する記憶部を備える装置におけるデータ削除方法であって、前記記憶部に新たな前記データファイルを記憶させる際、前記記憶部に当該データファイルを記憶可能な空き容量があるか否かを判断し、前記記憶部に記憶可能な空き容量がなかった場合は、前記記憶部に記憶されていた前記データファイルのヘッダ部を削除した後に、前記新たなデータファイルを前記記憶部に記憶させることを特徴とする。
【００１５】
請求項７に記載の発明は、データ部と当該データ部に付属する情報から成るヘッダ部とを含むデータファイルを記憶する記憶部を備える装置において、コンピュータに、前記記憶部に新たな前記データファイルを記憶させる際、前記記憶部に当該データファイルを記憶可能な空き容量があるか否かを判断する機能と、前記記憶部に記憶可能な空き容量がなかった場合は、前記記憶部に記憶されていた前記データファイルのヘッダ部を削除した後に、前記新たなデータファイルを前記記憶部に記憶させる機能と、を実現させることを特徴とする。
【発明の効果】
【００１６】
本発明によれば、既存のデータファイルを再生不能とすることなく、新たなデータファイルを記憶するための空き容量を確保できるコンテンツ処理装置を提供することができる。
【発明を実施するための最良の形態】
【００１７】
以下、本発明の実施の形態を図面に基づいて説明する。なお、本実施形態では、本発明に係るコンテンツ処理装置をオーディオ装置に適用した場合について例示する。
【００１８】
図１は、本実施形態に係るオーディオ装置１００の概略構成を示すブロック図である。
図１に示すように、オーディオ装置１００は、表示部１と、操作部２と、増幅部３と、出力部４と、記憶部５と、制御部６と、Ｉ／Ｆ７と、を備えて構成される。また、オーディオ装置１００は、Ｉ／Ｆ７を介して記憶装置１１０と接続されている。
【００１９】
表示部１は、例えば、ＬＣＤ（Liquid Crystal Display）、有機ＥＬ（Electro Luminescence）ディスプレイ等のディスプレイを備え、制御部６から出力された表示用データに基づいて、楽曲情報等の各種情報を表示する。
操作部２は、オーディオ装置１００を操作するための操作キー群（例えば方向指示キー、決定キー、再生キー等）を備える。操作部２は、ユーザにより操作キーが押下されると、操作キーに応じた操作信号を生成し、制御部６に出力する。
【００２０】
増幅部３は、制御部６から出力された音声信号を増幅して出力部４に出力する。
出力部４は、増幅部３から出力された音声信号に基づく音声をヘッドホンやスピーカ、外部機器へ出力する。
【００２１】
記憶部５は、例えば、半導体メモリで構成され、記憶装置１１０から転送されたＭＰ３ファイル等を記憶する。記憶部５に記憶されたＭＰ３ファイルの配置構成は、従来と同じであり、例えば図８に示したような配置である。記憶部５に記憶されたＭＰ３ファイルは、制御部６で信号処理され、音声信号として増幅部３に出力されることとなる。
【００２２】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、オーディオ装置１００の各部を制御する。
ＣＰＵ６１は、ＲＯＭ６３に格納された処理プログラム等を読み出して、ＲＡＭ６２に展開して実行することにより、オーディオ装置１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＲＯＭ６３は、例えば、半導体メモリで構成され、処理プログラムやデータ等が予め記憶されている。ＲＯＭ６３には、例えば、記憶装置１１０から記憶部５にＭＰ３ファイルを転送させるファイル転送プログラム等が記憶されている。
ＤＳＰ６４は、音声データ（例えばＭＰ３ファイル等）のエンコードやデコード、音質調整等を行う。
【００２３】
ＣＰＵ６１は、操作部２からの操作信号を受け付けると、当該操作信号に対応付けられた表示用データを表示部１に出力することで、操作に応じた情報を表示部１に表示させる。
また、ＣＰＵ６１は、操作部２からＭＰ３ファイルの転送要求を受け付けると、記憶部５に十分な空き容量があるか否かを判断し、転送を制御する。記憶部５に十分な空き容量がないと判断した場合は、空き容量がない旨の表示を表示部１に表示させ、削除対象となるＭＰ３ファイルのヘッダ部を削除する。そして、空いた領域に新たなＭＰ３ファイルを記憶させる。
また、ＤＳＰ６４は、記憶部５に記憶されたＭＰ３ファイルに信号処理を施し、音声信号として増幅部３に出力する。
【００２４】
Ｉ／Ｆ７は、記憶装置１１０との間で定められた形式に従って、ＭＰ３ファイル等の送受信を行う。
【００２５】
記憶装置１１０は、例えば、ＳＤカード、ＵＳＢメモリ等の記憶媒体であり、記憶部１１１と、制御部１１２と、を備える。また、記憶装置１１０は、Ｉ／Ｆ７を介してオーディオ装置１００と接続されている。
記憶部１１１は、例えば、半導体メモリで構成され、ＭＰ３ファイル等を記憶する。記憶部１１１に記憶されたＭＰ３ファイルは、制御部１１２の働きにより、Ｉ／Ｆ７を介してオーディオ装置１００に転送されることとなる。
制御部１１２は、記憶装置１１０の各部を制御する。制御部１１２は、例えば、Ｉ／Ｆ７を介してＭＰ３ファイルをオーディオ装置１００に転送する。
【００２６】
このように、本実施形態に係るオーディオ装置１００は、データ部と当該データ部に付属する情報から成るヘッダ部とを含むデータファイルを記憶する記憶部（記憶部５）と、前記データファイルを制御する制御部（制御部６、ＣＰＵ６１）と、を備える。ＣＰＵ６１は、記憶部５に新たなデータファイルを記憶させる際、記憶部５に当該データファイルを記憶可能な空き容量があるか否かを判断し、記憶部５に記憶可能な空き容量がなかった場合は、記憶部５に記憶されていたデータファイルのヘッダ部を削除した後に、新たなデータファイルを記憶部に記憶させる。
これにより、データ部を残しつつ、記憶部５の空き容量を大きくすることができるので、既存のデータファイルを再生不能とすることなく、新たなデータファイルを記憶するための空き容量を確保できる。
以下、新たにデータファイルを記憶部５に転送させる際に行われる処理について、図２〜４を用いて説明する。
【００２７】
図２は、記憶装置１１０の記憶部１１１からオーディオ装置１００の記憶部５にＭＰ３ファイルが転送される様子、及び記憶部５からＭＰ３ファイルが削除される様子について示した説明図である。
図２（ａ）に示すように、記憶装置１１０の記憶部１１１内には、ＭＰ３ファイル１、２、３、４、５、６、・・が格納されている。ＭＰ３ファイルはそれぞれヘッダ部とデータ部とから構成される。また、オーディオ装置１００の記憶部５には、ＭＰ３ファイル１〜５が格納されている。ここで、記憶装置１１０の記憶部１１１から新たにＭＰ３ファイル６を転送しようとすると、記憶部５の空き容量が不足しているので、当該ＭＰ３ファイル６を転送することができない。
そこで、図２（ｂ）に示すように、記憶部５に格納されていたＭＰ３ファイル１〜５の一部を削除することで、記憶部５の空き容量を大きくする。本実施形態では、従来のようにデータ部及びヘッダ部を一つのＭＰ３ファイルとして同時に削除するのではなく、削除するＭＰ３ファイルのヘッダ部のみを削除する。そして、データ部は引きつづき記憶部５に記憶させておく。
すると、図２（ｃ）に示すように、記憶部５にはＭＰ３ファイル６を格納するのに十分な空き容量が確保され、当該ＭＰ３ファイル６を転送することが可能となる。
【００２８】
図３は、本実施形態に係るオーディオ装置１００内で行われるファイル転送処理の一例について示したフローチャートである。このファイル転送処理は、操作部２からＭＰ３ファイルの転送要求を受け付けたことを契機に、ＣＰＵ６１がＲＯＭ６３に格納されているファイル転送プログラムを実行することにより実現される。
【００２９】
図３に示すように、ステップＳ１１では、記憶装置１１０から転送されるＭＰ３ファイルを記憶するのに十分な空き容量が記憶部５にあるか否かが判定される。十分な空き容量があった場合は、ステップＳ１６へと移行し、十分な空き容量がなかった場合は、次のステップＳ１２へと移行する。
ステップＳ１２では、削除するＭＰ３ファイルが選択される。本実施形態では、削除ファイルの選択は、予め設定された優先順位に基づいて行うものとする。例えば、サイズの大きさ、再生回数、スキップ回数等により、削除ファイルを自動的に決定する。
【００３０】
ステップＳ１３では、削除ファイルのヘッダ部が解析される。具体的には、ヘッダ部（ＩＤ３ｖ２タグ）のＩＤ３ｖ２ヘッダに記憶されているサイズ情報を利用して、ヘッダ部とデータ部を区別する。
図４は、ステップＳ１３で解析されるヘッダ部（ＩＤ３ｖ２タグ）について詳細に示した説明図である。
図４に示すように、ＩＤ３ｖ２タグは、ＩＤ３ｖ２ヘッダと、フレーム部と、から構成される。ＩＤ３ｖ２ヘッダはデータ全体の先頭１０バイトに配置され、識別文字“ＩＤ３”（３バイト）、バージョン（２バイト）、フラグ（１バイト）、サイズ情報（４バイト）の順に配置されている。
サイズ情報には、先頭１０バイトを除いたＩＤ３ｖ２タグのサイズが示されており、例えばサイズ情報が“２０”だった場合、先頭を０バイト目とすると０〜２９バイト目までがＩＤ３ｖ２タグ（ヘッダ部）であり、それ以降がオーディオデータ（データ部）であることが示される。
当該サイズ情報を利用することにより、ＭＰ３ファイルのヘッダ部とデータ部を区別することができる。
【００３１】
ステップＳ１４では、ステップＳ１３でデータ部と区別されたヘッダ部が削除される。
ステップＳ１５では、転送されるＭＰ３ファイルを記憶するのに十分な空き容量があるか否かが判定される。十分な空き容量があった場合は、次のステップＳ１６へと移行し、十分な空き容量がなかった場合は、ステップＳ１２へと移行する。
ステップＳ１６では、転送要求のあったＭＰ３ファイルが記憶部５に転送される。
【００３２】
なお、本実施形態では、ステップＳ１２において、削除ファイルの選択を予め設定された優先順位に基づいて行うものとしているが、ユーザの操作に基づいて行うようにしてもよい。
また、本実施形態では、ステップＳ１２で優先順位に基づいて削除ファイルを選択し、当該ファイルを削除後、ステップＳ１５で空き容量の確認を行い、容量が確保できていない場合は、再度ステップＳ１２で削除ファイルを選択するようにしているが、ステップＳ１２において、はじめから容量が確保できるまで削除ファイルを選択させるようにしてもよい。
【００３３】
このように、本実施形態では、記憶部５に格納されていたＭＰ３ファイルの一部を削除することで、記憶部５の空き容量を大きくすることができる。その際、従来のようにデータ部及びヘッダ部を一つのＭＰ３ファイルとして同時に削除するのではなく、ヘッダ部の解析を行うことでデータ部とヘッダ部を区別し、ヘッダ部のみを削除するようにする。そうすることで、データ部を残しつつ、記憶部５の空き容量を大きくすることができる。
【００３４】
ここで、ヘッダ部が削除されてデータ部のみになったＭＰ３ファイルの再生方法について、図５を用いて説明する。
図５は、記憶部５に格納されているＭＰ３ファイルの位置の変化と表示部１の表示との対応付けについて示した説明図である。
図５（ａ）に示すように、記憶部５は、ファイル１の位置にデータ部１、ファイル２の位置にデータ部２、ファイル３の位置にデータ部３を格納している。また、ファイル４の位置にはＭＰ３ファイルが格納されていない。こういった記憶部５内のどの位置にＭＰ３ファイルが格納されているかという情報（以下位置情報）は記憶部５に記憶されている。そして、ユーザによってデータ再生のための選択操作が行われる際、表示部１には位置情報に対応した表示が行われる。例えば、ファイル１の位置に格納されているデータ部１は「Ｆｉｌｅ１」、同様にファイル２の位置に格納されているデータ部２は「Ｆｉｌｅ２」と表示される。また、例えばファイル４の位置のようにＭＰ３ファイルが格納されていない場合は、表示部１には何も表示されない。
ここで、例えばファイル１の位置に格納されていたＭＰ３ファイルが削除されると、図５（ｂ）に示すように、ファイル２の位置に格納されていたデータ部２がファイル１の位置に繰り上がって配置される。以下同様にＭＰ３ファイルは繰り上がって配置される。この場合、データ部２は「Ｆｉｌｅ１」と表示され、データ部３は「Ｆｉｌｅ２」と表示されることとなる。ユーザは表示部１に表示された「Ｆｉｌｅ１」、「Ｆｉｌｅ２」、・・という表示を選択することで、再生したいＭＰ３ファイルを選択することができる。
このように、再生したいＭＰ３ファイルのヘッダ部が削除されているので、ヘッダ部に含まれるタイトル等を表示させることはできないが、当該ＭＰ３ファイルを再生することは可能である。
【００３５】
また、記憶部５の空き容量を大きくするためにヘッダ部を削除する際、ヘッダ部すべてを削除するのではなく、ヘッダ部の一部のみを削除することも可能である。以下、ヘッダ部の一部を削除する処理について、図６、７を用いて説明する。
図６は、記憶部５に格納されているＭＰ３ファイルのヘッダ部の一部が削除される様子について示した遷移図である。
図６（ａ）に示すように、オーディオ装置１００の記憶部５内には、ＭＰ３ファイル１〜５が格納されている。ＭＰ３ファイルはそれぞれヘッダ部とデータ部とから構成される。また、ヘッダ部は、ＩＤ３ｖ２ヘッダと、各フレームと、から構成される。ここで、記憶部５の空き容量を大きくするため、ヘッダ部の各フレームに記憶されている情報のうち、タイトル名を除いた情報を削除する。具体的には、各フレームのフレームＩＤ及びフレームサイズ情報から、各フレームを区別し、削除する情報を特定する。
【００３６】
図７は、各フレームについて詳細に示した説明図である。
図７に示すように、フレームはフレームヘッダ（１０バイト）と、フレームデータ（可変長：ｎバイト）と、から構成される。フレームヘッダは、フレームＩＤ（４バイト）、フレームサイズ情報（４バイト）、フラグ（２バイト）の順に配置されている。
フレームサイズ情報には、フレームヘッダ１０バイトを除いたフレームのサイズが示されており、例えばフレームサイズ情報が“２０”だった場合、１０＋２０＝３０バイトが当該フレームのサイズである。
当該フレームサイズ情報を利用することにより、各フレームを区別することができ、削除する情報を特定することができる。
【００３７】
タイトル名を除いた情報を削除すると、図６（ｂ）に示すように、ヘッダ部のサイズを小さくすることができる。ＭＰ３ファイル１〜５すべてのヘッダ部（ヘッダ部１〜５）について同様の処理を行うと、図６（ｂ）に示した分の空き容量を新たに確保することができる。
【００３８】
このように、ヘッダ部を削除する際、ヘッダ部の一部のみを削除することで、例えばタイトル名等の楽曲情報を記憶部５に残すことができる。すなわち、図５で示した“Ｆｉｌｅ１”、“Ｆｉｌｅ２”、・・が“タイトル名”となる。そうすることで、当該楽曲情報を用いた検索処理、復元処理等を行うことが可能となり、ユーザにとって便利である。
なお、記憶部５に残すヘッダ部の情報は、タイトル名に限らず、自由に設定可能である。
【００３９】
以上、本発明に係る実施形態に基づいて具体的に説明したが、本発明は上記実施形態に限定されるものではなく、その要旨を逸脱しない範囲で変更可能である。
【００４０】
例えば、本実施形態では、本発明に係るコンテンツ処理装置をオーディオ装置に適用した場合について例示したが、Ｉ／Ｆと、記憶部と、付属情報を含むデータファイルの読み出し機能と、データファイルのエンコード機能と、データファイルの編集機能と、を備えた装置であれば、いかなる装置であってもよい。
また、本発明に係るコンテンツ処理装置は、据え置き型でもポータブル型でもよい。
【００４１】
また、本実施形態では、記憶装置をＳＤカード、ＵＳＢメモリ等の記憶媒体としているが、例えば、ＣＤ（Compact Disc）、ＤＶＤ（Digital Versatile Disc）等の他の記憶媒体、外付けのＨＤＤ、コンテンツ処理装置内蔵メモリ等を用いることも可能である。
【００４２】
また、本実施形態では、データ本体及びデータに関する付属情報を持つフォーマットとしてＭＰ３ファイルを例示したが、それに限らない。ＭＰ３ファイルのような音声ファイルにとどまらず、付属情報を持つファイルフォーマットであれば、画像ファイルや動画ファイルであっても実施可能である。
また、本実施形態では、ＩＤ３タグのバージョン２（ＩＤ３ｖ２）を例示しているが、他のバージョン（例えばＩＤ３ｖ１、ＩＤ３ｖ１．１）でも実施可能である。
【００４３】
また、本実施形態では、ＭＰ３ファイルのヘッダ部を削除することで、オーディオ装置の記憶部の空き容量を確保するようにしているが、例えば、オーディオ装置内に新たに第２の記憶部（内部バッファ）を設けて一時的にヘッダ部を格納するようにしてもよい。なお、内部バッファは、例えば、揮発性のメモリである。
新たに内部バッファを設けて一時的にヘッダ部を格納することにより、例えばヘッダ部復元の際に処理の高速化が図れ、又記憶媒体が接続されていないときでもヘッダ部の復元を行うことが可能である。
【図面の簡単な説明】
【００４４】
【図１】本実施形態に係るオーディオ装置１００の概略構成を示すブロック図である。
【図２】記憶装置１１０の記憶部１１１からオーディオ装置１００の記憶部５にＭＰ３ファイルが転送される様子、及び記憶部５からＭＰ３ファイルが削除される様子について示した説明図である。
【図３】本実施形態に係るオーディオ装置１００内で行われるファイル転送処理の一例について示したフローチャートである。
【図４】ステップＳ１３で解析されるヘッダ部（ＩＤ３ｖ２タグ）について詳細に示した説明図である。
【図５】記憶部５に格納されているＭＰ３ファイルの位置の変化と表示部１の表示との対応付けについて示した説明図である。
【図６】記憶部５に格納されているＭＰ３ファイルのヘッダ部の一部が削除される様子について示した遷移図である。
【図７】各フレームについて詳細に示した説明図である。
【図８】ＭＰ３ファイルの構成、及び当該ＭＰ３ファイルが記憶部に格納されている様子について示した説明図である。
【図９】記憶装置の記憶部２１１からオーディオ装置の記憶部２０５にＭＰ３ファイルが転送される様子、及びオーディオ装置の記憶部２０５からＭＰ３ファイルが削除される様子について示した説明図である。
【符号の説明】
【００４５】
１００  オーディオ装置
１  表示部
２  操作部
３  増幅部
４  出力部
５  記憶部
６  制御部
６１  ＣＰＵ
６２  ＲＡＭ
６３  ＲＯＭ
６４  ＤＳＰ
７  Ｉ／Ｆ
１１０  記憶装置
１１１  記憶部
１１２  制御部
【図１】
2009266069.tif 000003
【図２】
2009266069.tif 000004
【図３】
2009266069.tif 000005
【図４】
2009266069.tif 000006
【図５】
2009266069.tif 000007
【図６】
2009266069.tif 000008
【図７】
2009266069.tif 000009
【図８】
2009266069.tif 000010
【図９】
2009266069.tif 000011